【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
２つの結束具を使用して物品を結束する結束方法であって、
前記結束具は、長尺状の係止部材と、前記係止部材を貫通させ、かつ任意の位置で係止する係止機構部と、他の結束具と結合するための結合孔または結合溝とを備え、
前記２つの結束具のそれぞれの結合孔または結合溝は、それぞれの前記結束具における係止部材の長手方向とは平行ではなく、
前記結束方法は、
一の結束具の係止部材を他の結束具の結合孔または結合溝に貫通させるステップと、
前記他の結束具の係止部材を前記一の結束具の結合孔または結合溝に貫通させるステップと、
前記一の結束具と、前記他の結束具との間に前記物品を配置するステップと、
前記一の結束具の係止部材を、前記一の結束具の係止機構部に貫通させるステップと、
前記他の結束具の係止部材を、前記他の結束具の係止機構部に貫通させるステップと、
前記一の結束具の係止部材と、前記他の結束具の係止部材とにより、互いに異なる方向へ前記物品を締め付けるステップと、
前記一の結束具の係止部材を前記一の結束具の係止機構部から挿抜できないように係止させるステップと、
前記他の結束具の係止部材を前記他の結束具の係止機構部から挿抜できないように係止させるステップと
を含む結束方法。
【請求項２】
物品を結束するための複数の結束具からなる結束装置であって、
前記複数の結束具のそれぞれは、
長尺状の係止部材と、
前記複数の結束具の中の他の結束具の係止部材を貫通させる結合孔または結合溝と、
前記複数の結束具の中の他の結束具の結合孔または結合溝を貫通した、自身の係止部材を貫通させ、かつ任意の位置で係止する係止機構部とを備え、
それぞれの結束具が備える結合孔または結合溝は、前記それぞれの結束具が備える係止部材または係止機構部に設けられており、前記係止部材の長手方向とは平行ではない
ことを特徴とする結束装置。
【請求項３】
前記複数の結束具の中の２つの結束具が備えるそれぞれの結合孔または結合溝の方向は、それぞれの結束具において、自身の結束具の長手方向に垂直、かつ、物品の結束の際に自身の結束具が形成する環を含む平面に垂直な方向である
請求項２記載の結束装置。
【請求項４】
前記それぞれの結束具は、施錠機能を有し、
前記係止機構部は、施錠部であり、
前記施錠部は、前記結束具の前記係止部材を貫通させる貫通孔または貫通溝を備え、前記貫通孔または前記貫通溝を貫通している前記係止部材を、前記施錠部から挿抜不可能に係止することにより施錠する
請求項２記載の結束装置。
【請求項５】
前記施錠部は、ダイヤル錠、シリンダ錠、またはカード式錠である
請求項４記載の結束装置。
【請求項６】
前記それぞれの結束具は、結束バンドであり、
前記係止部材は、前記結束バンドのバンド部であり、前記バンド部には長手方向に前記係止機構部に係止されるための凹凸部が形成されており、
前記係止機構部は、前記凹凸部を１方向にのみ貫通可能とする、孔の内部に凸部を持つ貫通孔を有し、前記貫通孔により前記バンド部を係止する
請求項２記載の結束装置。
【請求項７】
前記それぞれの結束具は、結束ベルトであり、
前記係止部材は、前記結束ベルトのベルト部である
請求項２記載の結束装置。
【請求項８】
前記係止機構部は、前記ベルト部を挟み込むことで前記ベルト部を係止する
請求項７記載の結束装置。
【請求項９】
前記ベルト部には長手方向に前記係止機構部に係止されるための複数の孔が形成されており、
前記係止機構部は、孔に差し込み可能な部位を有し、前記部位を前記孔に差し込むことで前記ベルト部を係止する
請求項７記載の結束装置。
【請求項１０】
前記それぞれの結束具は、結束チェーンであり、
前記係止部材は、前記結束チェーンのチェーン部であり、
前記チェーン部は、複数の環状部材がつなぎ合わされて形成されており、
前記係止機構部は、１つの前記環状部材を貫通する貫通部を有し、前記環状部材に貫通部を貫通させることで、前記チェーン部を係止する
請求項２記載の結束装置。
【請求項１１】
前記係止部材は、前記結束具の結束対象の物品と接触する面に凹凸または吸盤の少なくともいずれか一方を有する
請求項２記載の結束装置。
【請求項１２】
前記係止機構部は、バックルであり、前記バックルは、前記係止部材を着脱可能に取り付けるための取付部と、前記係止部材を係止するための係止部と、前記複数の結束具の中の他の結束具と結合するための結合孔または結合溝とを備える
請求項２記載の結束装置。
【請求項１３】
３つの結束具を使用して物品を結束する結束方法であって、
前記結束具は、長尺状の係止部材と、前記係止部材を貫通させ、かつ任意の位置で係止する係止機構部と、他の結束具と結合するための２つ以上の結合孔または結合溝とを備え、
前記３つの結束具のそれぞれの各結合孔または各結合溝は、それぞれの前記結束具における係止部材の長手方向とは平行ではなく、他の結束具を一つだけ結合可能で、
前記結束方法は、前記３つの結束具のそれぞれの結合孔または結合溝を各２つずつ使用し、前記３つの結束具のそれぞれが、結合孔または結合溝以外で交差しない様にして、第１の結束具の係止部材を第２の結束具の係止機構部側とは反対側寄りの結合孔または結合溝に貫通させるステップと、
前記第１の結束具の係止部材を第３の結束具の係止機構部側寄りの結合孔または結合溝に貫通させるステップと、
前記第２の結束具の係止部材を前記第３の結束具の係止機構部側とは反対側寄りの結合孔または結合溝に貫通させるステップと、
前記第２の結束具の係止部材を前記第１の結束具の係止機構部側寄りの結合孔または結合溝に貫通させるステップと、
前記第３の結束具の係止部材を前記第１の結束具の係止機構部側とは反対側寄りの結合孔または結合溝に貫通させるステップと、
前記第３の結束具の係止部材を前記第２の結束具の係止機構部側寄りの結合孔または結合溝に貫通させるステップと、
前記第１の結束具と、前記第２の結束具と、前記第３の結束具との間に前記物品を配置するステップと、
前記第１の結束具の係止部材を、前記第１の結束具の係止機構部に貫通させるステップと、
前記第２の結束具の係止部材を、前記第２の結束具の係止機構部に貫通させるステップと、
前記第３の結束具の係止部材を、前記第３の結束具の係止機構部に貫通させるステップと、
前記第１の結束具の係止部材と、前記第２の結束具の係止部材と、前記第３の結束具の係止部材とにより、互いに異なる方向へ前記物品を締め付けるステップと、
前記第１の結束具の係止部材を前記第１の結束具の係止機構部から挿抜できないように係止させるステップと、
前記第２の結束具の係止部材を前記第２の結束具の係止機構部から挿抜できないように係止させるステップと、
前記第３の結束具の係止部材を前記第３の結束具の係止機構部から挿抜できないように係止させるステップと
を含む結束方法。
【請求項１４】
４つの結束具を使用して物品を結束する結束方法であって、
前記結束具は、長尺状の係止部材と、前記係止部材を貫通させ、かつ任意の位置で係止する係止機構部と、他の結束具と結合するための２つ以上の結合孔または結合溝とを備え、
前記４つの結束具のそれぞれの各結合孔または各結合溝は、それぞれの前記結束具における係止部材の長手方向とは平行ではなく、他の結束具を一つだけ結合可能で、
前記結束方法は、前記４つの結束具のそれぞれが、結合孔または結合溝以外で交差しない様にして、第１の結束具の係止部材を第３の結束具の結合孔または結合溝に貫通させるステップと、
前記第１の結束具の係止部材を第４の結束具の結合孔または結合溝に貫通させるステップと、
第２の結束具の係止部材を前記第３の結束具の結合孔または結合溝に貫通させるステップと、
前記第２の結束具の係止部材を前記第４の結束具の結合孔または結合溝に貫通させるステップと、
前記第３の結束具の係止部材を前記第１の結束具の結合孔または結合溝に貫通させるステップと、
前記第３の結束具の係止部材を前記第２の結束具の結合孔または結合溝に貫通させるステップと、
前記第４の結束具の係止部材を前記第１の結束具の結合孔または結合溝に貫通させるステップと、
前記第４の結束具の係止部材を前記第２の結束具の結合孔または結合溝に貫通させるステップと、
前記第１の結束具と、前記第２の結束具と、前記第３の結束具と、前記第４の結束具との間に前記物品を配置するステップと、
前記第１の結束具の係止部材を、前記第１の結束具の係止機構部に貫通させるステップと、
前記第２の結束具の係止部材を、前記第２の結束具の係止機構部に貫通させるステップと、
前記第３の結束具の係止部材を、前記第３の結束具の係止機構部に貫通させるステップと、
前記第４の結束具の係止部材を、前記第４の結束具の係止機構部に貫通させるステップと、
前記第１の結束具の係止部材と、前記第２の結束具の係止部材と、前記第４の結束具の係止部材と、前記第４の結束具の係止部材とにより、前記物品を締め付けるステップと、
前記第１の結束具の係止部材を前記第１の結束具の係止機構部から挿抜できないように係止させるステップと、
前記第２の結束具の係止部材を前記第２の結束具の係止機構部から挿抜できないように係止させるステップと、
前記第３の結束具の係止部材を前記第３の結束具の係止機構部から挿抜できないように係止させるステップと、
前記第４の結束具の係止部材を前記第４の結束具の係止機構部から挿抜できないように係止させるステップと
を含む結束方法。
【手続補正２】
【補正対象書類名】明細書
【補正対象項目名】発明の名称
【補正方法】変更
【補正の内容】
【発明の名称】結束方法および結束装置
【手続補正３】
【補正対象書類名】明細書
【補正対象項目名】０００１
【補正方法】変更
【補正の内容】
【０００１】
本発明は、物品を結束する結束方法およびその結束方法に用いる結束装置に関する。
【手続補正４】
【補正対象書類名】明細書
【補正対象項目名】０００５
【補正方法】変更
【補正の内容】
【０００５】
そこで、本発明は、簡易かつ効果的な結束方法およびその結束方法に用いる結束装置を提供することを目的とする。
【手続補正５】
【補正対象書類名】明細書
【補正対象項目名】０００７
【補正方法】変更
【補正の内容】
【０００７】
また、この結束方法の実施に用いられる結束装置を構成する結束具としては、物品を結束するための結束具であって、長尺状の係止部材と、前記係止部材を貫通させ、かつ任意の位置で係止する係止機構部と、他の結束具と結合するための結合孔または結合溝とを備え、前記結合孔または前記結合溝は、前記係止部材の長手方向とは平行ではないことを特徴とする結束具が考えられる。
【手続補正６】
【補正対象書類名】明細書
【補正対象項目名】００１９
【補正方法】変更
【補正の内容】
【００１９】
本発明により、簡易かつ効果的な結束方法およびその結束方法に用いる結束装置を提供することができる。